(57)【要約】      （修正有）【課題】一台で２輪方式と４輪方式の機能を併せ持ち、設備費や保守管理費の点でも非常に有益である６輪方式のラインカーを提供する。【解決手段】グランドに白線を引くラインカーの車輪を６輪にし、本体の傾きで常時地面に接地する車輪の数を２輪か４輪とすることで、２輪方式のラインカーと４輪方式のラインカーの機能を併せ持たせ、２輪方式、４輪方式、両方式の機能をシームレスに使える。このラインカーを用意することで、２輪方式の物、４輪方式の物、２種類のラインカーを用意する必要性がなく、白線引きの過程で、時には２輪で、また時には４輪で引いたりする、両方式の使い分けが簡単に出来るので、グランドでの白線引きが大変楽になり、トータル設備費の削減が出来るだけでなく、保守管理も大変楽になる。【選択図】図−１
0003213977.tif 000002
【実用新案登録請求の範囲】
【請求項１】
（１）グランドに白線を引くラインカーの車輪を６輪にし、本体の傾きで常時地面に接地する車輪の数を２輪か４輪とすることで、２輪方式のラインカーと４輪方式のラインカーの機能を併せ持たせ、２輪方式、４輪方式、両方式の機能をシームレスに使える６輪方式のラインカー。
【考案の詳細な説明】
【技術分野】
【０００１】学校等のグランドで行われる競技においてフィールドを規定する際のライン（白線）は、ラインカー（ライン引きとも呼ばれている）と呼ばれる道具で白線を引いている。この時使用するラインカーの代表的な物として車輪が２輪方式の物と４輪方式の物が使われ、それぞれの特徴を生かし引く白線の幅や距離等によってそれぞれ使いわけている。この２輪方式の機能と４輪方式の機能を併せ持ったラインカーがあれば２種類用意することなく一台でどのような白線引きでも対応可能となる。
【背景技術】
【０００２】市場では２輪方式のラインカーと４輪方式のラインカーが使われている。２輪方式と４輪方式の違いは車輪の数だけでなく機能の違いも色々ある。２輪方式は粉の容量が少なく手軽に扱え機動性に優れ、曲線を引く時は便利である。４輪方式は粉の容量が多く安定しており直線を引く際は便利であるが曲線や円弧を引くのを苦手としている。また４輪方式は白線を引かないで移動させる場合は、粉出しをつかさどる主車輪を浮かせて移動させる、所謂ウイリー移動が出来便利である。このような違いから昔から学校スポーツとして多く取り上げられてきた陸上が中心の小学校等では、主に２輪方式のラインカーが使われてきたが、近年サッカーや野球などのスポーツが盛んになり、長い直線を引く必要性が出てきたことから、４輪方式のラインカーが主に部活動が盛んになる中学校や高等学校を中心に市場に導入されてきた。
【考案の概要】
【考案が解決しようとする課題】２輪方式と４輪方式のラインカーは車輪の数の違いだけでなく、その機能の違いから使い分けがされている。その為学校などでは２輪方式のラインカーや４輪方式のラインカーを２種類用意しなければならなかった。これを解決するために一台で２輪方式と４輪方式の機能を併せ持つものがあれば設備費や保守管理費の点でも非常に有益である。
【課題を解決するための手段】ラインカーの車輪を従来の２輪や４輪でなく、車輪を６輪（粉出し用の主車輪２個、前輪２個、後輪２個、合計６輪）にし、通常は４輪で（主車輪と前輪で）自立しているが、使用する際は本体の傾きのみで接地する車輪を、ある時は２輪方式で（主車輪のみを接地、他の車輪は地面から浮いた状態）、ある時は４輪方式で（主車輪と前輪のみが接地。又は主車輪と後輪のみが接地）という使い分けで、２輪方式と４輪方式、同時に二つの機能を併せ持ったラインカーが可能になる。
【考案の効果】図−１の本体を横から見た図（図では片側だけの表現。反対側にも同じ車輪が対である）で分かるように、通常は主車輪と前輪が地面と接地しており、このままの状態で押し引きすると通常の４輪方式の動作モードになる。次に本体を傾け（取手を倒し）本体の角度を変えることで地面に接地する車輪数を変える事が出来、２輪方式、４輪方式の両方の機能が使える。一般的な４輪方式の使い方は、図−５（図−１の車輪部だけを拡大した図）の様に主車輪と前輪の車輪を使った動作モードになる。同じ４輪方式でも図−６の様に主車輪と後輪を使った４輪方式の動作モードでも同じ白線が引けるが、実際の操作としては本方式の場合は、図−５の動作モードの方が重心の関係で力がいらず楽な操作になる。２輪方式の動作モードにする場合は、図−７の様に前輪と後輪が地面から浮いた状態で、主車輪のみが地面に接地している様に本体を傾けながら使う。また白線を引かずラインカーを移動させる場合は、粉出し板を操作し粉出し停止状態にさせて移動させるか、粉出しをつかさどる主車輪を地面から浮かせて移動させる二つのやり方があるが、主車輪を浮かせて移動させる、通常ウイリー移動と呼ばれている移動方法が、粉出し停止板をその都度操作する必要性もなく、また内部のブラシを無駄に動かすこともなくなるので４輪方式のラインカーの移動方法としては一般的にこの方法がとられており、ブラシの為にも好ましい。この様にウイリー移動させる為には、本体を傾け図―８の状態（後輪のみ地面に接地）にするか、または図―９の様に前輪のみを設置させて移動させる方法があるが、通常は図―８の後輪を使ったウイリー状態の移動が、白線を引く一連の作業の中での動作がシームレスに出来大変楽であり、従来のラインカーを使い慣れている方でも違和感なく使える。
【図面の簡単な説明】
【図−１】本体を横から見た図
【図−２】本体を裏側から見た図
【図−３】本体を正面から見た図
【図−４】車輪位置関係図（本体上部から車輪部のみを見た図）
【図−５】車輪部拡大図  主車輪と前輪使用時の４輪動作図
【図−６】車輪部拡大図  主車輪と後輪使用時の４輪動作図
【図−７】車輪部拡大図  主車輪のみ使用時の２輪動作図
【図−８】車輪部拡大図  後輪使用時のウイリー動作時図
【図−９】車輪部拡大図  前輪使用時のウイリー動作時図
【考案を実施するための形態】
以下添付図面に従って実施例を説明する。２輪方式のラインカーは、内部の粉出しをつかさどる回転ブラシと直結した主車輪のみしかなく、主車輪は何時でも地面に接地した形になるので、使わない場合（白線を引かない場合）は粉出し停止状態にして移動させるか、本体を持ち上げ主車輪を地面から浮かせて移動させる方法を取る。４輪方式の場合は、粉容量が多く全体の重量が重く、主車輪以外の粉出しには関係のない車輪を持たせ、合計４輪で本体を安定させる方法を取る（図−１）。この時主車輪以外の車輪が本体の主車輪の前方にあるか（この車輪は前輪。粉出し機構としては主車輪が本体の後ろになるので後部排出方式）、あるいは主車輪の後方にある（後輪。主車輪は本体の前部にあるので前部排出方式）様に配置し、通常は主車輪と前輪、または主車輪と後輪を地面につけ４輪としての機能を持たせる。移動の際は本体を傾け主車輪を地面から浮かせ、残った車輪だけで移動する、所謂ウイリー移動と言う方法で移動するが、主車輪が本体の前にある、所謂「前輪排出方式」の４輪の場合は、本体を傾け後輪のみでの移動（通常ウイリー移動と呼ばれている方式）が可能になるが（図−８）、粉出しをつかさどる主車輪が後方にある、所謂「後部排出方式」の場合は、主車輪が後輪になってしまうので一般的に慣れ親しんだ後輪を使ったウイリー移動はできない。本６輪方式は、粉出しは所謂「後部排出方式」で通常の状態では主車輪と前輪を地面に接地させ白線引きを行うが（この時後輪は地面から離れ浮いた状態）、移動の際は本体を傾け、主車輪と前輪を地面から浮かせ後輪のみを地面に接地させての移動、所謂ウイリー移動が可能になる。この様に６輪方式にすることで（図−１）４輪（図−５）から２輪（図−７）へ、そしてウイリー移動（図−８）と、一連の動作がスムーズに、従来から使いなれている２輪方式や４輪方式のラインカーと同じ動作で、それぞれの動作モードがシームレスに行えるという特徴を持っている。
【実施例】本方式の６輪方式ラインカーは本体の傾きだけで２輪方式でも４輪方式でもどちらの方式の使い方でも、シームレスに連続した動作の中での使い分けが簡単にできる。また白線を引いている途中で一旦白線引きをストップ（粉出しを停止）して次の場所までラインカーを移動してまた改めて白線を引き出すという動作は、ラインカーを使う上で通常頻繁に行う動作である。この時重要なのはラインカーを移動中粉出しをさせないことである。この粉出しをさせない方法として二つある。一つは粉出し口をシャッターで覆う、つまり粉出し停止状態にすること。もう一つはラインカーを移動中、粉出しをつかさどる主車輪の回転を止めておけば粉出しはされない。そのためには図−８（後輪のみ使う）や図−９（前輪のみ使う）の様に移動中は主車輪を回転させず、後輪や前輪のみで本体を移動させれば重い本体を持ち上げることなく粉出しをせず移動が可能になる。これは一般的にウイリー移動というやり方で、移動の際いちいちシャッターを閉める必要がない事から、４輪方式のラインカーでは当たり前のように行われている移動方式である。因みに２輪方式の場合は、地面に接地している車輪は主車輪だけなのでウイリー操作はできないが、一般的に本体が軽いため移動の際は取手を持ち本体を持ち上げ車輪を回転させないで移動させるか、粉出し停止状態にしてから移動させる方法を取っている。
【符号の説明】１．ラインカー本体
２．主車輪（本体内部の粉出しブラシと同期して回る車輪）
３．前輪
４．後輪
５．取手
６．粉出し口部（本体の底部）
【図−１】
0003213977.tif 000003
【図−２】
0003213977.tif 000004
【図−３】
0003213977.tif 000005
【図−４】
0003213977.tif 000006
【図−５】
0003213977.tif 000007
【図−６】
0003213977.tif 000008
【図−７】
0003213977.tif 000009
【図−８】
0003213977.tif 000010
【図−９】
0003213977.tif 000011